【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
ネットワーク・トランシーバをプログラミングするための方法であって、
ａ）前記ネットワーク・トランシーバに近接するＲＦＩＤデバイスからＲＦＩＤデータを受信するステップであって、前記ＲＦＩＤデータは、前記ネットワーク・トランシーバの電磁遮蔽筐体の内側に位置付けられたＲＦＩＤリーダまたはＲＦＩＤメモリと通信可能なＲＦＩＤアンテナを介して受信され、前記ＲＦＩＤデータは、前記ネットワーク・トランシーバの動作構成を定める、ステップと、
ｂ）前記受信されたＲＦＩＤデータによって定められる動作構成にしたがって前記ネットワーク・トランシーバをプログラミングするステップと、
を含み、前記ＲＦＩＤアンテナは、前記ネットワーク・トランシーバの前記電磁遮蔽筐体の内側に位置付けられ、更に、前記ＲＦＩＤデータは、前記電磁遮蔽筐体の誘電体インターフェースを通過するＲＦＩＤ信号を介して受信される、方法。
【請求項２】
前記ＲＦＩＤデバイスは、ＲＦＩＤタグまたはＲＦＩＤリーダ／ライタを備える、請求項１に記載の方法。
【請求項３】
前記ステップｂ）は、前記ネットワーク・トランシーバをホスト・デバイスに設置または接続した後に実施される、請求項１に記載の方法。
【請求項４】
前記ステップａ）は、前記ネットワーク・トランシーバを起動する前に実施される、請求項１に記載の方法。
【請求項５】
前記ＲＦＩＤデータは、プログラム命令または動作パラメータを含み、更に、前記ネットワーク・トランシーバをプログラミングするステップは、前記プログラム命令または動作パラメータを前記ネットワーク・トランシーバに内蔵されたメモリにロードするステップを含む、請求項１に記載の方法。
【請求項６】
前記ＲＦＩＤデータは、前記ネットワーク・トランシーバに内蔵されたメモリ内の位置であってプログラム命令または動作パラメータを含んでいる位置を指し示すメモリ・アドレスを含み、更に、前記ネットワーク・トランシーバをプログラミングするステップは、前記プログラム命令または動作パラメータを前記メモリ内の位置からロードするステップを含む、請求項１に記載の方法。
【請求項７】
前記ＲＦＩＤデータは、ネットワーク位置を含み、更に、前記ネットワーク・トランシーバをプログラミングするステップは、前記ネットワーク位置からプログラム命令または動作パラメータを引き出すステップと、前記引き出されたプログラム命令または動作パラメータを、前記ネットワーク・トランシーバに内蔵されたメモリにロードするステップとを含む、請求項１に記載の方法。
【請求項８】
前記ＲＦＩＤデータは、識別子を含み、更に、前記ネットワーク・トランシーバをプログラミングするステップは、前記識別子に対応する前記ネットワーク・トランシーバに内蔵されたメモリに予めロードされているプログラム命令または動作パラメータをロードするステップを含む、請求項１に記載の方法。
【請求項９】
前記ＲＦＩＤデータは、互換性データを含み、更に、前記ネットワーク・トランシーバをプログラミングするステップは、前記ネットワーク・トランシーバが前記ＲＦＩＤデータによって定められた前記動作構成と互換性があるか否かを確認する予備ステップを含む、請求項１に記載の方法。
【請求項１０】
前記ステップｂ）は、前記ネットワーク・トランシーバが既に現行の動作構成にプログラミングされているか否かを判定するステップと、前記ネットワーク・トランシーバが未だプログラミングされた構成にない場合、または前記ネットワーク・トランシーバの現行の動作構成が前記ＲＦＩＤデータによって定められた動作構成とは異なる場合に、前記ネットワーク・トランシーバをプログラミングするステップとを含む、請求項１に記載の方法。
【請求項１１】
前記ＲＦＩＤアンテナは、前記ネットワーク・トランシーバの前記電磁遮蔽筐体の外側に少なくとも部分的に延びる、請求項１に記載の方法。
【請求項１２】
前記ＲＦＩＤアンテナは、前記ネットワーク・トランシーバに着脱自在に接続される、請求項１に記載の方法。
【請求項１３】
ネットワーク・トランシーバであって、
電磁遮蔽筐体と、
ホストに接続するためのホスト・インターフェースと、
信号をネットワークに送信しおよびネットワークから受信するためのネットワーク・インターフェースと、
前記ネットワーク・トランシーバに近接するＲＦＩＤデバイスからＲＦＩＤデータを受信するためのＲＦＩＤアンテナと、
前記電磁遮蔽筐体の内側に位置付けられ、前記ＲＦＩＤアンテナと通信可能なＲＦＩＤリーダまたはＲＦＩＤメモリと、
前記ネットワーク・インターフェースまたはホスト・インターフェースおよび前記ＲＦＩＤリーダまたはＲＦＩＤメモリと動作可能に通信するコントローラであって、前記コントローラは、前記ネットワーク・インターフェースまたはホスト・インターフェースを動作構成にしたがって動作させ、前記コントローラの前記動作構成は、前記ＲＦＩＤアンテナおよびＲＦＩＤリーダまたはＲＦＩＤメモリを介して受信されたＲＦＩＤデータを用いてプログラミングされる、コントローラと、
を備え、前記電磁遮蔽筐体は、電磁遮蔽材料から作られた側壁と、電磁信号が通過することを許容する誘電体インターフェースとを備え、前記誘電体インターフェースは、前記遮蔽材料によって取り囲まれている、ネットワーク・トランシーバ。
【請求項１４】
前記ＲＦＩＤアンテナは、前記電磁遮蔽筐体の内側であって前記誘電体インターフェースに隣接して位置付けられる、請求項１３に記載のネットワーク・トランシーバ。
【請求項１５】
前記誘電体インターフェースは、内部に埋め込まれたＲＦＩＤタグを備えるスマート・ラベルによって覆われる、請求項１３に記載のネットワーク・トランシーバ。
【請求項１６】
前記誘電体インターフェースは、前記筐体の側壁の少なくとも１つの開口によって定められる、請求項１３に記載のネットワーク・トランシーバ。
【請求項１７】
前記筐体の外面から前記ＲＦＩＤアンテナへＲＦＩＤ信号を中継するための内部ＲＦＩＤ中継器を更に備え、前記ＲＦＩＤ中継器は、前記筐体内に位置付けられた第１および第２中継アンテナを備え、前記第１中継アンテナは、前記誘電体インターフェースに近接して位置付けられ、前記第２中継アンテナは、前記ＲＦＩＤアンテナに近接して位置付けられる、請求項１３に記載のネットワーク・トランシーバ。
【請求項１８】
前記筐体の外面から前記ＲＦＩＤアンテナへＲＦＩＤ信号を中継するための外部ＲＦＩＤ中継器を更に備え、前記ＲＦＩＤ中継器は、前記筐体の外面上に位置付けられた第１および第２中継アンテナを備え、前記第１中継アンテナは、前記誘電体インターフェースに隣接して位置付けられ、前記第２中継アンテナは、前記第１中継アンテナから離間され、外部ＲＦＩＤデバイスとインターフェースするように位置付けられる、請求項１３に記載のネットワーク・トランシーバ。
【請求項１９】
命令が格納されている非一時的コンピュータ読み取り可能媒体であって、前記命令は、電磁遮蔽筐体内に位置付けられたＲＦＩＤリーダまたはＲＦＩＤメモリと通信可能なＲＦＩＤアンテナを有するネットワーク・トランシーバのコントローラによって実行されると、プロセッサに、
ａ）前記ＲＦＩＤアンテナおよびＲＦＩＤリーダまたはＲＦＩＤメモリを介して、前記ネットワーク・トランシーバに近接するＲＦＩＤデバイスからＲＦＩＤデータを受信するステップであって、前記ＲＦＩＤデータは、前記ネットワーク・トランシーバの動作構成を定める、ステップと、
ｂ）前記受信されたＲＦＩＤデータによって定められる動作構成にしたがって前記ネットワーク・トランシーバ内のコントローラをプログラミングするステップと、
を行わせ、前記ＲＦＩＤデータは、互換性データを含み、前記ネットワーク・トランシーバをプログラミングするステップは、前記ネットワーク・トランシーバが前記ＲＦＩＤデータによって定められた前記動作構成と互換性があるか否かを確認する予備ステップを含む、非一時的コンピュータ読み取り可能媒体。
【請求項２０】
ネットワーク・トランシーバをプログラミングするための方法であって、
ａ）前記ネットワーク・トランシーバに近接するＲＦＩＤデバイスからＲＦＩＤデータを受信するステップであって、前記ＲＦＩＤデータは、前記ネットワーク・トランシーバの電磁遮蔽筐体の内側に位置付けられたＲＦＩＤリーダまたはＲＦＩＤメモリと通信可能なアンテナを介して受信され、前記ＲＦＩＤデータは、前記ネットワーク・トランシーバの動作構成を定める、ステップと、
ｂ）前記受信されたＲＦＩＤデータによって定められる動作構成にしたがって前記ネットワーク・トランシーバをプログラミングするステップと、
を含み、前記ＲＦＩＤデータは、互換性データを含み、更に、前記ネットワーク・トランシーバをプログラミングするステップは、前記ネットワーク・トランシーバが前記ＲＦＩＤデータによって定められた前記動作構成と互換性があるか否かを確認する予備ステップを含む、方法。
【請求項２１】
ネットワーク・トランシーバをプログラミングするための方法であって、
ａ）前記ネットワーク・トランシーバに近接するＲＦＩＤデバイスからＲＦＩＤデータを受信するステップであって、前記ＲＦＩＤデータは、前記ネットワーク・トランシーバの電磁遮蔽筐体の内側に位置付けられたＲＦＩＤリーダまたはＲＦＩＤメモリと通信可能なアンテナを介して受信され、前記ＲＦＩＤデータは、前記ネットワーク・トランシーバの動作構成を定める、ステップと、
ｂ）前記ネットワーク・トランシーバが既に現行の動作構成にプログラミングされているか否かを判定するステップと、前記ネットワーク・トランシーバが未だプログラミングされた構成にない場合、または前記ネットワーク・トランシーバの現行の動作構成が前記ＲＦＩＤデータによって定められた動作構成とは異なる場合に、前記ネットワーク・トランシーバを、前記受信されたＲＦＩＤデータによって定められた動作構成にしたがってプログラミングするステップと、
を含む、方法。
【請求項２２】
命令が格納されている非一時的コンピュータ読み取り可能媒体であって、前記命令は、電磁遮蔽筐体内に位置付けられたＲＦＩＤリーダまたはＲＦＩＤメモリと通信可能なＲＦＩＤアンテナを有するネットワーク・トランシーバのコントローラによって実行されると、プロセッサに、
ａ）前記ＲＦＩＤアンテナおよびＲＦＩＤリーダまたはＲＦＩＤメモリを介して、前記ネットワーク・トランシーバに近接するＲＦＩＤデバイスからＲＦＩＤデータを受信するステップであって、前記ＲＦＩＤデータは、前記ネットワーク・トランシーバの動作構成を定める、ステップと、
ｂ）前記ネットワーク・トランシーバが既に現行の動作構成にプログラミングされているか否かを判定するステップと、前記ネットワーク・トランシーバが未だプログラミングされた構成にない場合、または前記ネットワーク・トランシーバの現行の動作構成が前記ＲＦＩＤデータによって定められた動作構成とは異なる場合に、前記ネットワーク・トランシーバを、前記受信されたＲＦＩＤデータによって定められた動作構成にしたがってプログラミングするステップと、
を行わせる、非一時的コンピュータ読み取り可能媒体。
【請求項２３】
ネットワーク・トランシーバをプログラミングするための方法であって、
ａ）前記ネットワーク・トランシーバに近接するＲＦＩＤデバイスからＲＦＩＤデータを受信するステップであって、前記ＲＦＩＤデータは、前記ネットワーク・トランシーバの電磁遮蔽筐体の内側に位置付けられたＲＦＩＤリーダまたはＲＦＩＤメモリと通信可能なＲＦＩＤアンテナを介して受信され、前記ＲＦＩＤデータは、前記ネットワーク・トランシーバの動作構成を定める、ステップと、
ｂ）前記ネットワーク・トランシーバを、前記受信されたＲＦＩＤデータによって定められた動作構成にしたがってプログラミングするステップと、
を含み、前記ＲＦＩＤアンテナは、前記ネットワーク・トランシーバの前記電磁遮蔽筐体の外側に少なくとも部分的に延びる、方法。
【請求項２４】
前記ＲＦＩＤデバイスは、ＲＦＩＤタグまたはＲＦＩＤリーダ／ライタを備える、請求項２３に記載の方法。
【請求項２５】
前記ステップｂ）は、前記ネットワーク・トランシーバをホスト・デバイスに設置または接続した後に実施される、請求項２３に記載の方法。
【請求項２６】
前記ステップａ）は、前記ネットワーク・トランシーバを起動する前に実施される、請求項２３に記載の方法。
【請求項２７】
前記ＲＦＩＤデータは、プログラム命令または動作パラメータを含み、更に、前記ネットワーク・トランシーバをプログラミングするステップは、前記プログラム命令または動作パラメータを前記ネットワーク・トランシーバに内蔵されたメモリにロードするステップを含む、請求項２３に記載の方法。
【請求項２８】
前記ＲＦＩＤデータは、前記ネットワーク・トランシーバに内蔵されたメモリ内の位置であってプログラム命令または動作パラメータを含んでいる位置を指し示すメモリ・アドレスを含み、更に、前記ネットワーク・トランシーバをプログラミングするステップは、前記プログラム命令または動作パラメータを前記メモリ内の位置からロードするステップを含む、請求項２３に記載の方法。
【請求項２９】
前記ＲＦＩＤデータは、ネットワーク位置を含み、更に、前記ネットワーク・トランシーバをプログラミングするステップは、前記ネットワーク位置からプログラム命令または動作パラメータを引き出すステップと、前記引き出されたプログラム命令または動作パラメータを、前記ネットワーク・トランシーバに内蔵されたメモリにロードするステップとを含む、請求項２３に記載の方法。
【請求項３０】
前記ＲＦＩＤデータは、識別子を含み、更に、前記ネットワーク・トランシーバをプログラミングするステップは、前記識別子に対応する前記ネットワーク・トランシーバに内蔵されたメモリに予めロードされているプログラム命令または動作パラメータをロードするステップを含む、請求項２３に記載の方法。
【請求項３１】
前記ＲＦＩＤデータは、互換性データを含み、更に、前記ネットワーク・トランシーバをプログラミングするステップは、前記ネットワーク・トランシーバが前記ＲＦＩＤデータによって定められた前記動作構成と互換性があるか否かを確認する予備ステップを含む、請求項２３に記載の方法。
【請求項３２】
前記ステップｂ）は、前記ネットワーク・トランシーバが既に現行の動作構成にプログラミングされているか否かを判定するステップと、前記ネットワーク・トランシーバが未だプログラミングされた構成にない場合、または前記ネットワーク・トランシーバの現行の動作構成が前記ＲＦＩＤデータによって定められた動作構成とは異なる場合に、前記ネットワーク・トランシーバをプログラミングするステップとを含む、請求項２３に記載の方法。
【請求項３３】
前記ＲＦＩＤアンテナは、前記ネットワーク・トランシーバに着脱自在に接続される、請求項２３に記載の方法。
【請求項３４】
ネットワーク・トランシーバであって、
電磁遮蔽筐体と、
ホストに接続するためのホスト・インターフェースと、
信号をネットワークに送信しおよびネットワークから受信するためのネットワーク・インターフェースと、
前記ネットワーク・トランシーバに近接するＲＦＩＤデバイスからＲＦＩＤデータを受信するためのＲＦＩＤアンテナと、
前記電磁遮蔽筐体の内側に位置付けられ、前記ＲＦＩＤアンテナと通信可能なＲＦＩＤリーダまたはＲＦＩＤメモリと、
前記ネットワーク・インターフェースまたはホスト・インターフェースおよび前記ＲＦＩＤリーダまたはＲＦＩＤメモリと動作可能に通信するコントローラであって、前記コントローラは、前記ネットワーク・インターフェースまたはホスト・インターフェースを動作構成にしたがって動作させ、前記コントローラの前記動作構成は、前記ＲＦＩＤアンテナおよびＲＦＩＤリーダまたはＲＦＩＤメモリを介して受信されたＲＦＩＤデータを用いてプログラミングされる、コントローラと、
を備え、更に、前記コントローラおよびＲＦＩＤアンテナを取り囲む金属筐体と、前記筐体の内側と外側の間に延びるＲＦＩＤ中継器とを備え、前記ＲＦＩＤ中継器は、前記筐体の外側に位置付けられた第１中継アンテナと、前記筐体の内側に位置付けられた第２中継アンテナとを備える、ネットワーク・トランシーバ。
【請求項３５】
前記ＲＦＩＤアンテナは、前記電磁遮蔽筐体の内側であって前記第２中継アンテナに隣接して位置付けられる、請求項３４に記載のネットワーク・トランシーバ。
【請求項３６】
前記第１中継アンテナは、内部に埋め込まれたＲＦＩＤタグを備えるスマート・ラベルによって覆われる、請求項３４に記載のネットワーク・トランシーバ。
【請求項３７】
ＲＦＩＤ信号を中継するための外部ＲＦＩＤ中継器を更に備え、前記ＲＦＩＤ中継器は、前記筐体の外面上に位置付けられた第１および第２外部中継アンテナを備え、前記第１外部中継アンテナは、前記第１中継アンテナに隣接して位置付けられ、前記第２外部中継アンテナは、前記第１外部中継アンテナから離間され、外部ＲＦＩＤデバイスとインターフェースするように位置付けられる、請求項３４に記載のネットワーク・トランシーバ。